(57)【要約】【課題】スイングデータを確実に外部の検測装置に対して電磁波を用いて無線送信できるゴルフクラブヘッドを提供する。【解決手段】チェンバー２１０を画成し、キャップ設置口２１１が開けられているヘッド本体２１と、電磁波が通過できる材料により作成され、キャップ設置口２１１に設置されているキャップ２１２と、ヘッド本体２１の外表面に挿入口２２１が開けながら第１の方向Ｘに沿ってチェンバー２１０内に延伸し、且つ、第１の方向Ｘにおける投影範囲Ｚの少なくとも一部がキャップ設置口２１１の開口範囲と重なるように形成されている管状の収容部２２と、を有するヘッドユニット２、及び、挿入口２２１を経由して収容部２２内に挿入収容されることができるように構成されていると共に、スイングデータを検知し、キャップ２１２を通過する電磁波で検知結果を含むデータを無線送信できる検測ユニット３２が設置されている挿入体３、を備える。【選択図】図２
2019025286.tif 000002
【特許請求の範囲】
【請求項１】
チェンバーを画成し、且つ、前記チェンバーと連通するキャップ設置口が開けられているヘッド本体と、
電磁波が通過できる材料により作成され、前記キャップ設置口に設置されて前記キャップ設置口をカバーするキャップと、
前記ヘッド本体の外表面に挿入口が開けながら第１の方向に沿って前記チェンバー内に延伸し、且つ、前記第１の方向における投影範囲の少なくとも一部が前記キャップ設置口の開口範囲と重なるように形成されている管状の収容部と、を有するヘッドユニット、及び、
前記挿入口を経由して前記収容部内に挿入収容されることができるように構成されていると共に、スイングデータを検知し、検知結果を含むデータを前記キャップを通過する電磁波を用いて無線送信できる検測ユニットが設置されている挿入体、を備えることを特徴とするゴルフクラブヘッド。
【請求項２】
前記収容部の前記第１の方向における投影範囲の全範囲が、前記キャップ設置口の開口範囲と重なることを特徴とする請求項１に記載のゴルフクラブヘッド。
【請求項３】
前記挿入体は、係合ユニットと、固定用充填材と、を更に備え、
前記係合ユニットは、前記収容部内に取付けられるように構成されていると共に、先端に開口が開けられている柱状の設置空間を囲むように形成されており、
前記検測ユニットは、前記係合ユニットの前記設置空間内に設置されており、
前記固定用充填材は、前記検測ユニットを前記係合ユニット内の所定の位置に固定するように、前記係合ユニットと前記検測ユニットとの間の隙間に充填されていることを特徴とする請求項1または請求項２に記載のゴルフクラブヘッド。
【請求項４】
前記収容部は、前記チェンバー内に延伸する先端部に前記チェンバーと連通する連通口が開けられていると共に、管状の内周面にメスネジ部が形成されており、
前記係合ユニットは、
前記係合ユニットが前記収容部内に挿し込まれると、前記挿入口をカバーする基壁と、
前記基壁の周縁から、前記基壁と略直交に延伸し、且つ、外周面に前記収容部の前記メスネジ部と噛み合って前記収容部に螺入できるオスネジ部が形成された周壁と、を備えることを特徴とする請求項３に記載のゴルフクラブヘッド。
【請求項５】
前記係合ユニットの基壁の外部に面する表面には、所定の工具が挿入されて回されると、前記挿入体と共に回転駆動されることによって、前記収容部に出し入れすることができる回転操作穴が設置されている突起が形成されていることを特徴とする請求項４に記載のゴルフクラブヘッド。
【請求項６】
前記挿入体は、前記検測ユニットと前記係合ユニットとの間に介在し、前記検測ユニットを前記係合ユニットの前記設置空間内における所定の位置に保持する支持ユニットを更に有していることを特徴とする請求項３〜請求項５のいずれか一項に記載のゴルフクラブヘッド。
【請求項７】
前記ヘッドユニットの前記キャップは、ガラス繊維により構成されていることを特徴とする請求項１〜請求項６のいずれか一項に記載のゴルフクラブヘッド。
【請求項８】
前記ヘッドユニットの前記ヘッド本体は、炭素繊維により構成されていることを特徴とする請求項１〜請求項７のいずれか一項に記載のゴルフクラブヘッド。
【発明の詳細な説明】
【技術分野】
【０００１】
本発明はゴルフクラブヘッドに関し、特にゴルフクラブのスイングデータを検測できるゴルフクラブヘッドに関する。
【背景技術】
【０００２】
ゴルフクラブのスイングは、ゴルフボールの飛距離、軌跡などに大きな影響を与えるので、スイングデータを検測して、その検測データに基づいてスイングの姿勢を修正することが重要視されている。ゴルフクラブのスイングデータを収集／取得するために、ヘッドにスイングデータを収集する検測装置が設置されたゴルフクラブが開発された。例えば図１に示される特許文献１には、重量体収容穴１００が形成されて重量体収容穴１００内に重量体１１が収容されているゴルフクラブヘッド１０が記載されている。重量体１１は、重量体収容穴１００内に係合できる係合ユニット１１１と、係合ユニット１１１内に設置されている検測ユニット１１２と、係合ユニット１１１と検測ユニット１１２とに設置されている蓋１１３を有するので、重量体を設置すると共にスイングデータを検測できる検測ユニットも設置できるという利点がある。
【先行技術文献】
【特許文献】
【０００３】
【特許文献１】特開２０１６−１２３８３８号公報
【発明の概要】
【発明が解決しようとする課題】
【０００４】
しかし、一般のゴルフクラブヘッドは、強度と固さを保ちながら軽量化するため、炭素繊維で構成されている。検測ユニットが電磁波でスイングデータを外部の検測装置に無線送信する場合には、炭素繊維は電磁波を遮蔽する特性を有するので、スイングデータを外部の検測装置に送信しにくくなり、正しいデータを送信できない恐れがある。
【０００５】
上記問題点に鑑みて、本発明は、電磁波でスイングデータをより確実に外部の検測装置に無線送信できるゴルフクラブヘッドの提供を目的とする。
【課題を解決するための手段】
【０００６】
上記目的を達成すべく、本発明は、チェンバーを画成し、且つ、前記チェンバーと連通するキャップ設置口が開けられているヘッド本体と、電磁波が通過できる材料により作成され、前記キャップ設置口に設置されて前記キャップ設置口をカバーするキャップと、前記ヘッド本体の外表面に挿入口が開けながら第１の方向に沿って前記チェンバー内に延伸し、且つ、前記第１の方向における投影範囲の少なくとも一部が前記キャップ設置口の開口範囲と重なるように形成されている管状の収容部と、を有するヘッドユニット、及び、前記挿入口を経由して前記収容部内に挿入収容されることができるように構成されていると共に、スイングデータを検知し、検知結果を含むデータを前記キャップを通過する電磁波を用いて無線送信できる検測ユニットが設置されている挿入体、を備えることを特徴とするゴルフクラブヘッドを提供する。
【発明の効果】
【０００７】
上記の構成によれば、本発明のゴルフクラブヘッドは、キャップ設置口に設置されているキャップは電磁波が通過できる材料により作成されているので、検測ユニットから発する、検知結果を含むデータを有する電磁波がキャップを通過して、従来のゴルフクラブヘッドより確実に外部へ無線送信できる。
【図面の簡単な説明】
【０００８】
【図１】従来のゴルフクラブヘッドを示す斜視図である。
【図２】本発明のゴルフクラブヘッドの一実施形態を示す部品分解斜視図である。
【図３】上記実施形態のゴルフクラブヘッドを示す断面図である。
【図４】上記実施形態における挿入体を示す部品分解斜視図である。
【図５】上記実施形態における挿入体を示す断面図である。
【発明を実施するための形態】
【０００９】
以下、各図面を参照しながら、本発明の実施形態について詳しく説明する。
【００１０】
図２は本発明のゴルフクラブヘッドの一実施形態を示す部品分解斜視図である。図３は上記実施形態のゴルフクラブヘッドを示す断面図である。図４は上記実施形態における挿入体を示す部品分解斜視図である。図５は上記実施形態における挿入体を示す断面図である。
【００１１】
本発明のゴルフクラブヘッドは、図２に示されるように、シャフト９に接続されているヘッドユニット２と、ヘッドユニット２に螺入して収容されている挿入体３とを有する。
【００１２】
ヘッドユニット２は、図２及び図３に示されるように、チェンバー２１０を画成し、且つ、チェンバー２１０と連通するキャップ設置口２１１が開けられているヘッド本体２１と、電磁波が通過できる材料により作成され、キャップ設置口２１１に設置されてキャップ設置口２１１をカバーするキャップ２１２と、ヘッド本体２１の外表面に挿入口２２１を開けながら第１の方向Ｘに沿ってチェンバー２１０内に延伸し、且つ、第１の方向Ｘにおける投影範囲Ｚの少なくとも一部がキャップ設置口２１１の開口範囲と重なるように形成されている管状の収容部２２と、を有する。
【００１３】
この実施形態において、ヘッドユニット２のキャップ２１２は、ガラス繊維により構成されて、ヘッドユニット２のヘッド本体２１は、炭素繊維により構成されている。キャップ２１２はガラス繊維により構成されているので、更にゴルフクラブヘッドを軽量化する機能を有する。
【００１４】
また、キャップ２１２は、接着方法によりキャップ設置口２１１に設置される。
【００１５】
収容部２２は、第１の方向Ｘに沿って延伸する管状に形成されているものであって、チェンバー２１０内に延伸する先端部にチェンバー２１０と連通する連通口２２０が開けられていると共に、管状の内周面にメスネジ部２１９が形成されている。
【００１６】
この実施形態において、図３に示されるように、収容部２２は収容部２２の第１の方向Ｘにおける投影範囲Ｚの全範囲がキャップ設置口２１１の開口範囲と重なる。即ち、収容部２２の連通口２２０の第１の方向Ｘにおける投影範囲Ｚの全範囲がキャップ設置口２１１の開口範囲と重なる。また、キャップ設置口２１１はゴルフクラブヘッド２のシャフト９と接続されている側に開けられていて、収容部２２はゴルフクラブヘッド２のシャフト９と接続されている側の反対側に形成されているが、他の場所に形成されることもできる。
【００１７】
挿入体３は、図２及び図３に示されるように、挿入口２２１を経由して収容部２２内に挿入収容されることができるように構成され、そして、図４及び図５に示されるように、係合ユニット３１と検測ユニット３２と支持ユニット３３と固定用充填材３９と、を備える。
【００１８】
係合ユニット３１は、図４及び図５に示されるように、収容部２２内に取付けられるように構成されていると共に、先端に開口３００が開けられている柱状の設置空間３１０を囲むように形成されている。その詳しい構成は、係合ユニット３１が収容部２２内に挿し込まれると、挿入口２２１をカバーする基壁３１１と、基壁３１１の周縁から、基壁３１１と略直交する第２の方向Ｙに延伸し、且つ、外周面に収容部２２のメスネジ部２１９と噛み合って収容部２２に螺入できるオスネジ部３１４が形成された周壁３１２と、を備える。挿入体３が収容部２２内に挿入収容されると、第２の方向Ｙが第１の方向Ｘと同じ方向になる。
【００１９】
この実施形態において、図４及び図５に示されるように、係合ユニット３１の基壁３１１の外部に向かう表面には、所定の工具により挿入されて回されると、挿入体３と共に回転駆動されることによって、収容部２２に出し入れすることができる回転操作穴３１３が設置されている突起３１９が形成されている。回転操作穴３１３は、突起３１９の表面から凹陥して形成され、所定の工具を回転操作穴３１３に挿入して挿入体３を回転操作することにより、挿入体３を簡単にゴルフクラブヘッド２の収容部２２に出し入れすることができる。
【００２０】
検測ユニット３２は、図４及び図５に示されるように、ゴルフクラブのスイングデータを検測できる検測デバイス（図示せず）が内蔵されている上、スイングデータを検知し、キャップ２１２を通過する電磁波で検知結果を含むデータを無線送信でき、係合ユニット３１の設置空間３１０内に設置されている。
【００２１】
支持ユニット３３は、図４及び図５に示されるように、検測ユニット３２と係合ユニット３１との間に介在し、検測ユニット３２を係合ユニット３１の設置空間３１０内における所定の位置に保持するものであって、この実施形態において、係合ユニット３１の設置空間３１０に設置されると、係合ユニット３１の周壁３１２の内表面に当接して、検測ユニット３２を係合ユニット３１内の所定の位置に支持できるように構成されているものである。
【００２２】
固定用充填材３９は、図５に示されるように、検測ユニット３２を係合ユニット３１内の所定の位置に固定するように検測ユニット３２と係合ユニット３１との間の隙間に充填されている。
【００２３】
この実施形態において、図５に示されるように、検測ユニット３２は支持ユニット３３により、係合ユニット３１と一定の隙間を空けると共に、係合ユニット３１の設置空間３１０の略中央位置に設置されている。そして、固定用充填材３９は、該一定の隙間に充填できる流動性があって、乾燥後固化する材料であり、固定用充填材３９が、該一定の隙間に充填されていることにより、係合ユニット３１と検測ユニット３２と支持ユニット３３とが一体的に固定されている。
【００２４】
上記の構成によれば、図３に示されるように、挿入体３が収容部２２内に挿入収容されると、検測ユニット３２は、収容部２２の連通口２２０を通じて、チェンバー２１０に面するので、検測ユニット３２から発する電磁波は、収容部２２の連通口２２０を通じて阻害無くチェンバー２１０へ放出でき、且つ、キャップ２１２は電磁波が通過できるガラス繊維により構成されているので、チェンバー２１０内に放出した電磁波は、キャップ２１２を通過して、スイングデータを外部の検測装置に送信できる。また、収容部２２の連通口２２０の第１の方向Ｘにおける投影範囲Ｚの全範囲がキャップ設置口２１１の開口範囲と重なるので、連通口２２０を通じてチェンバー２１０内に放出した電磁波は、より確実にキャップ設置口２１１に設置したキャップ２１２に向いて移動し、スイングデータの送信能力を従来のゴルフクラブヘッドより向上できる。
【００２５】
なお、係合ユニット３１と検測ユニット３２と支持ユニット３３とが一体的に固定されて、１つのモジュールになるので、挿入体３を収容部２２内に螺挿することだけで設置できる。従って、ゴルフクラブヘッド２に対して余分な機構を設置するための加工が要らず、更に、挿入体３を回転することにより、挿入体３を収容部２２に簡単に出し入れすることができる。
【００２６】
また、検測ユニット３２は、支持ユニット３３により支持されているので、より簡単に固定用充填材３９を検測ユニット３２と係合ユニット３１との間に充填して硬く固定することができる。
【００２７】
なお、挿入体３自身の重量によりゴルフクラブヘッド２の重心を調整できる。その重量は、挿入体３の構成材料を変えることにより調整でき、更に挿入体３内に重量体を設置することもできる。検測ユニット３２に設置されている検測デバイスを変えて、検測できるスイングデータを変更することもできる。
【産業上の利用可能性】
【００２８】
本発明のゴルフクラブヘッドは、一般のゴルフ競技または練習に適用でき、中でも、スイングデータを検測するための練習には好適である。
【符号の説明】
【００２９】
２  ヘッドユニット
９  シャフト
２１  ヘッド本体
２１０  チェンバー
２１１  キャップ設置口
２１２  キャップ
２２  収容部
２２０  連通口
２２１  挿入口
２１９  メスネジ部
３  挿入体
３００  開口
３１  係合ユニット
３１０  設置空間
３１１  基壁
３１２  周壁
３１３  回転操作穴
３１４  オスネジ部
３１９  突起
３２  検測ユニット
３３  支持ユニット
３９  固定用充填材
Ｘ  第１の方向
Ｙ  第２の方向
【図１】
2019025286.tif 000003
【図２】
2019025286.tif 000004
【図３】
2019025286.tif 000005
【図４】
2019025286.tif 000006
【図５】
2019025286.tif 000007
【手続補正書】
【提出日】平成30年11月21日(2018.11.21)
【手続補正１】
【補正対象書類名】特許請求の範囲
【補正対象項目名】全文
【補正方法】変更
【補正の内容】
【特許請求の範囲】
【請求項１】
電磁波を遮蔽する材料により作成されているものであって、チェンバーを画成し、且つ、前記チェンバーと連通するキャップ設置口が開けられているヘッド本体と、
電磁波が通過できる材料により作成され、前記キャップ設置口に設置されて前記キャップ設置口をカバーするキャップと、
前記ヘッド本体の外表面に挿入口が開けながら第１の方向に沿って前記チェンバー内に延伸し、且つ、前記第１の方向における投影範囲の少なくとも一部が前記キャップ設置口の開口範囲と重なるように形成されている管状の収容部と、を有するヘッドユニット、及び、
前記挿入口を経由して前記収容部内に挿入収容されることができるように構成されていると共に、スイングデータを検知し、検知結果を含むデータを前記キャップを通過する電磁波を用いて無線送信できる検測ユニットが設置されている挿入体、を備えることを特徴とするゴルフクラブヘッド。
【請求項２】
前記収容部の前記第１の方向における投影範囲の全範囲が、前記キャップ設置口の開口範囲と重なることを特徴とする請求項１に記載のゴルフクラブヘッド。
【請求項３】
前記挿入体は、係合ユニットと、固定用充填材と、を更に備え、
前記係合ユニットは、前記収容部内に取付けられるように構成されていると共に、先端に開口が開けられていて、該開口と連通する柱状の設置空間を囲むように形成されており、
前記検測ユニットは、前記係合ユニットの前記設置空間内に設置されており、
前記固定用充填材は、前記検測ユニットを前記係合ユニット内の所定の位置に固定するように、前記係合ユニットと前記検測ユニットとの間の隙間に充填されていることを特徴とする請求項1または請求項２に記載のゴルフクラブヘッド。
【請求項４】
前記収容部は、前記チェンバー内に延伸する先端部に前記チェンバーと連通する連通口が開けられていると共に、管状の内周面にメスネジ部が形成されており、
前記係合ユニットは、
前記係合ユニットが前記収容部内に挿し込まれると、前記挿入口をカバーする基壁と、
前記基壁の周縁から、前記基壁と略直交に延伸し、且つ、外周面に前記収容部の前記メスネジ部と噛み合って前記収容部に螺入できるオスネジ部が形成された周壁と、を備えることを特徴とする請求項３に記載のゴルフクラブヘッド。
【請求項５】
前記係合ユニットの基壁の外部に面する表面には、所定の工具が挿入されて回されると、前記挿入体と共に回転駆動されることによって、前記収容部に出し入れすることができる回転操作穴が設置されている突起が形成されていることを特徴とする請求項４に記載のゴルフクラブヘッド。
【請求項６】
前記挿入体は、前記検測ユニットと前記係合ユニットとの間に介在し、前記検測ユニットを前記係合ユニットの前記設置空間内における所定の位置に保持する支持ユニットを更に有していることを特徴とする請求項３〜請求項５のいずれか一項に記載のゴルフクラブヘッド。
【請求項７】
前記ヘッドユニットの前記キャップは、ガラス繊維により構成されていることを特徴とする請求項１〜請求項６のいずれか一項に記載のゴルフクラブヘッド。
【請求項８】
前記ヘッドユニットの前記ヘッド本体は、炭素繊維により構成されていることを特徴とする請求項１〜請求項７のいずれか一項に記載のゴルフクラブヘッド。
【手続補正２】
【補正対象書類名】明細書
【補正対象項目名】００１８
【補正方法】変更
【補正の内容】
【００１８】
係合ユニット３１は、図４及び図５に示されるように、収容部２２内に取付けられるように構成されていると共に、先端に開口３００が開けられていて、該開口３００と連通する柱状の設置空間３１０を囲むように形成されている。